(57)【特許請求の範囲】
【請求項１】
上下方向多段に且つ水平方向に複数の取付位置を有する支持架台の任意の取付位置に取り付けられるベース部材と、前記ベース部材に着脱自在に装着されるカセッタであって、前記ベース部材への装着状態において収容する薬剤を所定量毎に排出し得るように構成されたカセッタとを備えた薬剤収容容器であって、
前記ベース部材は、個々のベース部材を視覚的に識別し得るベース部材識別情報を有し、
前記カセッタは、ベース部材に装着された状態で視覚的に識別し得るカセッタ識別情報であって、対応するベース部材の識別情報に応じたカセッタ識別情報を有し、
前記ベース部材識別情報及びカセッタ識別情報は、ベース部材及びカセッタにそれぞれ付されるマークによって形成され、
一個のベース部材と該ベース部材の上面に装着させるべき一個のカセッタにおいて、該カセッタのマークに対し該ベース部材のマークが下方にあるとき、前記一個のベース部材の上面に、該ベース部材に装着されるべきカセッタが装着されていることが視認されるようマークどうしが構成されていることを特徴とする薬剤収容容器。
【請求項２】
前記ベース部材及びカセッタが有する識別情報は、該ベース部材が取り付けられる前記支持架台の取付位置を表示する取付位置情報であることを特徴とする請求項１に記載の薬剤収容容器。
【請求項３】
前記取付位置情報は、カセッタを対応するベース部材に装着した際に形成される識別番号であることを特徴とする請求項２に記載の薬剤収容容器。
【請求項４】
前記取付位置情報は、ベース部材が取り付けられる支持架台の段位置を識別する段位置識別情報と、列位置を識別する列位置識別情報とを含むことを特徴とする請求項２に記載の薬剤収容容器。
【請求項５】
前記段位置識別情報は、前記マークの色彩，数量又は形状の何れか一の要素によって段位置を識別可能にしており、
前記列位置識別情報は、前記マークの色彩，数量又は形状の他の要素によって列位置を識別可能としていることを特徴とする請求項４に記載の薬剤収容容器。
【発明の詳細な説明】
【０００１】
【発明の属する技術分野】
本発明は、主として病院等の医療機関で使用される薬剤選択供給装置の支持架台に装着される薬剤収容容器に関する。
【０００２】
【従来の技術】
ドラム等の支持架台に、ベース部材と、該ベース部材のそれぞれに着脱自在に装着され、ベース部材への装着状態において収容する薬剤を所定量毎に排出するカセッタとを備えた薬剤収容容器を複数個設置してなる薬剤選択供給装置は、従来から広く使用されている。
前記薬剤収容容器のカセッタには、錠剤，散薬又は水薬等の薬剤が収容される。例えば、錠剤を収容する薬剤収容容器においては、前記カセッタは、錠剤整列ローラーを有し、収容する錠剤を該ローラーの回転に応じて所定量づつ排出し得るように構成されており、該カセッタの前記ベース部材への装着時に前記ローラーに回転駆動力が伝達されるようになっている。
【０００３】
前記薬剤選択供給装置についてより詳しく説明すると、前記支持架台には複数のベース部材が配設されており、該ベース部材のそれぞれに、対応するカセッタが装着される。そして、薬剤選択供給装置における操作装置からの信号に基づき、一のベース部材が駆動し、これにより、該一のベース部材に装着された一のカセッタのローラーが回転して該一のカセッタに収容された薬剤が排出されるようになっている。
【０００４】
即ち、前記薬剤選択供給装置においては、一のカセッタと一のベース部材とが一対一に対応している。その為、薬剤の詰め替え又は補給等の為に一のカセッタを取り外した場合には、該一のカセッタを対応するベース部材へ再び装着させる必要がある。
【０００５】
斯かるカセッタのベース部材への誤装着を防止する為に、従来から種々の提案がなされている。例えば、実公平4-49044号公報には、カセッタのベース部材との当接面に、特定の孔へのピンの差し込みによって載置棚番号及び装填箇所番号をそれぞれ選定可能な一組の番号設定部を設け、一方、ベース部材のカセッタとの当接面には、前記一組の番号設定部の孔に対向する一組の嵌合孔部を設け、カセッタを対応するベース部材へ装着した場合には、前記ピンがベース部材の嵌合孔部に挿入され、これにより、カセッタとベース部材とのコネクタが接続され、該カセッタとベース部材とが電気的に接続されるように構成した薬剤収容容器が開示されている。
【０００６】
しかしながら、前記公報に記載のものは、ベース部材及びカセッタの当接面同士の嵌合／非嵌合により、カセッタの誤装着を防止するものであり、取り外した一のカセッタを実際に空いているベース部材の何れかへ装着してみないと、該一のカセッタの装着箇所が分からないという不都合があった。
即ち、例えば、複数個のカセッタが同時期に補充を要することとなり、該複数のカセッタを対応するベース部材が取り外した場合を考えると、前記公報に記載のものにおいては、薬剤補充後のカセッタを、空いているベース部材に対し順に装着を試みて、ピンが嵌合するベース部材を捜さなければならない。
【０００７】
【発明が解決しようとする課題】
本発明は前記問題点に鑑みなされたものであり、取り外したカセッタを対応するベース部材に再装着する際、空いているベース部材に対する，該取り外したカセッタの装着を試みることなく、該カセッタの装着箇所を確実に判別することができる構造簡単な薬剤収容容器を提供することを一の目的とする。
【０００８】
【課題を解決するための手段】
本発明は、前記目的を達成するために、上下方向多段に且つ水平方向に複数の取付位置を有する支持架台の任意の取付位置に取り付けられるベース部材と、前記ベース部材に着脱自在に装着されるカセッタであって、前記ベース部材への装着状態において収容する薬剤を所定量毎に排出し得るように構成されたカセッタとを備えた薬剤収容容器であって、前記ベース部材は、個々のベース部材を視覚的に識別し得るベース部材識別情報を有し、前記カセッタは、ベース部材に装着された状態で視覚的に識別し得るカセッタ識別情報であって、対応するベース部材の識別情報に応じたカセッタ識別情報を有し、前記ベース部材識別情報及びカセッタ識別情報は、ベース部材及びカセッタにそれぞれ付されるマークによって形成され、一個のベース部材と該ベース部材の上面に装着させるべき一個のカセッタにおいて、該カセッタのマークに対し該ベース部材のマークが下方にあるとき、前記一個のベース部材の上面に、該ベース部材に装着されるべきカセッタが装着されていることが視認されるようマークどうしが構成されている薬剤収容容器を提供する。
【０００９】
好ましくは、前記ベース部材及びカセッタが有する識別情報は、該ベース部材が取り付けられる前記支持架台の取付位置を表示する取付位置情報であるものとすることができる。
好ましくは、前記取付位置情報は、カセッタを対応するベース部材に装着した際に形成される識別番号とすることができる。
【００１０】
好ましくは、前記取付位置情報は、ベース部材が取り付けられる支持架台の段位置を識別する段位置識別情報と、列位置を識別する列位置識別情報とを含むものとすることができる。
【００１１】
前記段位置識別情報は、前記マークの色彩，数量又は形状の何れか一の要素によって段位置を識別可能にしており、前記列位置識別情報は、前記マークの色彩，数量又は形状の他の要素によって列位置を識別可能とすることができる。
【００１２】
【発明の実施の形態】
実施の形態１．
以下に、本発明に係る薬剤収容容器の好ましい一実施の形態について、添付図面を参照しつつ説明する。
図１は、本実施の形態に係る薬剤収容容器１が、一対の支持架台１１０（図１においては図示せず）のそれぞれに、上下方向多段に且つ水平方向に複数設置された薬剤選択供給装置１００の斜視図である。又、図２(a)及び(b)はそれぞれ一方の支持架台の部分平面図及び部分側面図を示している。又、図３(a)及び(b)は、それぞれ、薬剤収容容器１の平面図及び側面図であり、該薬剤収容容器におけるカセッタの非装着時の一状態を示している。そして、図４は、前記薬剤収容容器の正面図を示している。
【００１３】
前記支持架台は、上下方向多段であって且つ各段毎に水平方向複数の薬剤収容容器取付位置を有している。図１に示す薬剤選択供給装置においては、各支持架台が、上下方向８段、且つ、各段毎に水平方向に３２個の合計２５６個の取付位置を有しており、装置全体としては５１２個の薬剤収容容器取付位置を有している。
【００１４】
前記支持架台１１０のそれぞれの取付位置に取り付けられる薬剤収容容器１は、図１〜図３に示すように、薬剤を収容するカセッタ１０と、該カセッタが着脱自在に装着されるベース部材２０とを備えている。
【００１５】
本実施の形態においては、前記カセッタ１０は、収容した錠剤を所定個数毎に排出し得るように構成されている。即ち、該カセッタ１０は、上方が開口とされた薬剤収容部１１と、該薬剤収容部内に配設された薬剤整列ローラー１２と、前記薬剤収容部の上方開口を着脱自在に閉塞する蓋部材１３とを備え、収容する薬剤を該ローラー１２の回転に応じて所定量毎に排出し得るようになっている。
【００１６】
前記薬剤整列ローラー１２は、回転軸１２ａと、該回転軸１２ａに相対回転不能に支持されたローラー本体１２ｂと、前記回転軸１２ａの下端部に相対回転不能に支持された従動ギア１２ｃとを備えている。そして、該カセッタ１０は、前記薬剤整列ローラー１２の回転によって、該ローラーの周縁に整列された薬剤が、前記薬剤収容部１１の底壁に設けられた排出口（図示せず）から排出されるようになっている。
【００１７】
前記ベース部材２０は、ドラム等の支持架台１１０から外方へ突出するように該支持架台１１０に設けられる。なお、本実施の形態においては、該ベース部材２０は、ボルト等の締結手段によって前記支持架台１１０に着脱可能に設置されるが、これに代えて、ベース部材を支持架台に着脱不能に設けることも可能である。
【００１８】
本実施の形態において、前記ベース部材２０は、前記支持架台１１０に着脱自在に固定されるようになっている。詳しくは、前記ベース部材２０は、前記カセッタ１０が載置される載置部２１と、該載置部２１から上方に延びる当接部２２と、該当接部２２から前記載置部２１とは反対側へ延びる一対の案内片２３とを備えており、前記一対の案内片２３と前記支持架台１１０の表面とにより上下方向に延びる空間が形成されるように、前記支持架台１１０に装着されている。
【００１９】
前記上下方向に延びる空間は、前記カセッタ１０から払い出される薬剤を、前記支持架台１１０の下方に配されるホッパ（図示せず）へ案内する案内路３０となるものである。即ち、本実施の形態においては、カセッタ１０から排出された薬剤をドラム等の支持架台の下方に配設されるホッパへ案内する案内路が、支持架台の内部に形成されるのではなく、ベース部材２０と支持架台１１０の表面とによって形成されるようになっている。従って、前記ベース部材２０を支持架台１１０に対して着脱自在としておけば、前記案内路３０の清掃を簡単に行うことができる。
【００２０】
即ち、前記案内路３０は薬剤が通過するものであるから、該案内路３０には薬剤のコーティング部材等が付着する。その為、案内路の清掃が必要となる。例えば、前記案内路を支持架台の内部、例えば、ドラムの内部に形成しておくと、案内路の清掃の為にドラムの分解が必要となる。
【００２１】
これに対し、本実施の形態におけるように、前記ベース部材２０を支持架台１１０に対し着脱自在としつつ、該ベース部材２０における一対の案内片２３と支持架台１１０の表面とによって前記案内路３０を形成すれば、支持架台１１０を分解することなく案内路３０の清掃を行うことが可能となる。
【００２２】
又、ドラム等の支持架台の内部に前記案内路を形成すると、該支持架台の表面に、薬剤収容容器の排出口と前記案内路とを連通させる連通孔を形成する必要が生じ、支持架台の製造コストの高騰を招くことになるが、本実施の形態においては斯かる不都合は生じない。
なお、図中、符号３１は、前記カセッタ１０の排出口と前記案内路３１とを連通する連通路である。
【００２３】
前記ベース部材２０は、前記載置部２１の内部に収容されるモータ２４と、下端部が該モータ２１に相対回転不能に支持され且つ上端部が前記載置部２１の上面から上方に延びる駆動軸２５と、該駆動軸２５の上端部に相対回転不能に支持された駆動ギア２６とを備えている。該駆動ギア２６は、前記カセッタ１０をベース部材２０に装着させた際に、該カセッタ１０の従動ギア１２ｃと噛合するようになっている。
【００２４】
図４に示すように、前記ベース部材２０は、さらに、個々のベース部材を視覚的に識別するベース部材識別情報４０を有している。該ベース部材識別情報４０は、カセッタ装着状態において、外方から視認し得る位置に設けられている。好ましくは、前記ベース部材２０の載置部２１の前面に設けることができる。
具体的には、前記載置部２１の前面に複数のベース部材識別情報表示領域４１ａ，４１ｂ，・・・が設けられており、該複数のベース部材識別情報表示領域のうち，任意の領域にマーク４２が付されている。そして、該複数の表示領域を右から第１桁目，第２桁目・・・とみなし、マーク４２が付されている桁を“１”、マークが付されていない桁を“０”として２進数表示したものをベース部材識別情報４０として用いている。
【００２５】
本実施の形態においては、図４に示すように、前記載置部の前面に１０のベース部材識別情報表示領域４１ａ〜４１ｉを設け、該１０の表示領域のうち，右から第１，第２，及び第８の３つの領域４１ａ，４１ｂ，４１ｈにマーク４２を付している。従って、これを２進数で表示すると、“０１０００００１１”となる。表１に、マークの設置位置とベース部材の識別番号の１０進数表示との対応表を示す。
【００２６】
【表１】
0004492988.tif 000002
【００２７】
表１に示すように、図４に示すベース部材２０は、識別番号“１３２”を有しており、他のベース部材と視覚的に識別され得るようになっている。
【００２８】
一方、前記カセッタ１０は、前記ベース部材２０に装着された状態において視認可能なカセッタ識別情報であって、装着されるべきベース部材２０のベース部材識別情報４０に対応したカセッタ識別情報５０を有している。
具体的には、カセッタ１０は、前記ベース部材２０の識別情報表示領域４１ａ，４１ｂ，・・・に対応したカセッタ識別情報表示領域５１ａ，５１ｂ，・・・を有している。
【００２９】
そして、該カセッタ１０のカセッタ表示領域５１ａ，５１ｂ，・・・には、該カセッタ１０が装着されるべきベース部材２０の識別番号に対応した識別番号を表示するように、マーク５２が付されている。即ち、識別番号“１３２”のベース部材２０に装着されるカセッタ１０には、カセッタ識別情報表示領域５１ａ，５１ｂ，・・・のうち，第１，第２及び第８の領域５１ａ，５１ｂ，５１ｈにマーク５２が付されている。
【００３０】
このように、各ベース部材及び各カセッタは、それぞれ、視認可能なベース部材識別情報４０及びカセッタ識別情報５０を有しており、従って、取り外したカセッタ１０がどのベース部材２０に装着されるべきかを、空いているベース部材２０への装着を試みることなく、確実に判別することができる。
【００３１】
さらに、万一、カセッタ１０の誤装着が生じた場合であっても、斯かる誤装着を確実に発見することができる。即ち、例えば、第３び第８の領域５１ｃ，５１ｈにマーク５２が付されている識別番号“１３３”のカセッタ１０を、誤って識別番号“１３２”のベース部材２０に装着すると、図５に示すように、ベース部材２０のマーク位置とカセッタ１０のマーク位置とがずれることになり、カセッタ１０が誤装着されていることが直ちに発見される。
【００３２】
又、前記ベース部材２０及びカセッタ１０の識別情報は、各ベース部材及びカセッタの支持架台１１０への取付位置を表示することにもなるから、取り外したカセッタ１０の識別情報を視認することによって、該カセッタ１０の支持架台１１０に対する取付位置を知ることができ、これによっても、カセッタ１０の誤装着を確実に防止できる。
【００３３】
なお、本実施の形態においては、ベース部材識別情報表示領域及びカセッタ識別情報表示領域をそれぞれ９桁用意したが、これは、前記支持架台１１０の取付位置数に対応して適宜変更することが可能である。
【００３４】
実施の形態２．
以下に、本発明に係る薬剤収容容器の好ましい他の実施の形態について、図面を参照しつつ説明する。図６は、本実施の形態に係る薬剤収容容器１'の正面図である。なお、前記実施の形態１におけると同一又は相当部材には同一符号を付して、その説明を省略する。
【００３５】
図６に示すように、本実施の形態に係る薬剤収容容器１'においては、カセッタ１０を対応するベース部材２０に装着させた場合に、カセッタ１０の識別情報５０'とベース部材１０の識別情報４０'とにより、一つの識別番号が形成されるようになっている。
斯かる薬剤収容容器においても、前記実施の形態１におけると同様に、取り外したカセッタ１０の装着箇所を確実に知ることができ、これにより、カセッタ１０の誤装着を有効に防止することができる。
【００３６】
実施の形態３．
以下に、本発明に係る薬剤収容容器の好ましい他の実施の形態について、図面を参照しつつ説明する。図７は、本実施の形態に係る薬剤収容容器１''の正面図である。なお、前記実施の形態１又は２における同一又は相当部材には同一符号を付してその説明を省略する。
【００３７】
前記実施の形態１及び２においては、ベース部材及びカセッタの識別情報が該ベース部材及びカセッタの取付位置を示す識別番号を表示するように構成したが、本実施の形態においては、これに代えて、ベース部材２０及びカセッタ１０の識別情報４０''，５０''が、該ベース部材２０及びカセッタ１０の支持架台１１０における段位置を表示する段位置識別情報と、列位置を識別する列位置識別情報とを個別に表示するように構成されている。
【００３８】
即ち、ベース部材２０には、所定色彩のマーク４２''が所定個数付されている。例えば、一のベース部材２０には、赤色のマーク４２''が２個付される。前記マーク４２''の色彩（例えば、赤色）は、支持架台１１０において該一のベース部材２０が取り付けられる列位置を表示し、マーク４２''の個数（例えば、２個）は該一のベース部材２０が取り付けられる段位置を表示する。
従って、図７に示すように、赤色のマーク４２''が２個付されているベース部材２０、支持架台１１０における２段目の２列目に取り付けられるものであることが判明する。
【００３９】
一方、前記カセッタ１０には、対応するベース部材２０におけると同色のマーク５２''が同じ個数だけ付されている。従って、あるカセッタ１０を取り外した後、再装着する際には、該カセッタ１０を、同じ色であって、且つ、同数のマーク４２''が付されているベース部材１０に装着すれば、対応するベース部材２０に確実に再装着されていることになる。
【００４０】
このように、本実施の形態においても、前記実施の形態１又は２におけると同様に、取り外したカセッタ１０の装着箇所を確実に知ることができ、これにより、カセッタ１０の誤装着を有効に防止できる。
【００４１】
なお、本実施の形態においては、マーク４２''，５２''の色によって列位置を識別し、且つ、マーク４２''，５２''の数量によって段位置を識別するように構成したが、本発明は斯かる形態に限定されるものではなく、マークの色彩，数量又は形状の何れか又は複数をパラメータとして、段位置及び列位置を識別することができる。例えば、マークの形状によって列位置を識別し、マークの色彩又は形状によって段位置を識別させることも可能である。
【００４２】
実施の形態４．
以下に、本発明に係る薬剤収容容器の好ましい他の実施の形態について、図面を参照しつつ説明する。図８は、本実施の形態に係る薬剤収容容器１'''の正面図である。なお、前記実施の形態１〜３における同一又は相当部材には同一符号を付してその説明を省略する。
【００４３】
本実施の形態においては、ベース部材２０における外部視認可能な領域の少なくとも一部に、所定の色彩４３'''が施されている。該色彩４３'''は、ベース部材１０の支持架台１１０に対する取付段位置又は取付列位置の何れか一方を表示するものである。
【００４４】
さらに、前記ベース部材２０には、所定形状（図８においては●）のマーク４２'''が付されている。該マーク４２'''の形状は、ベース部材２０のの支持架台１１０に対する取付段位置又は取付列位置を表示する。
即ち、本実施の形態においては、前記ベース部材２０の色彩４３'''と、マーク４２'''の形状とによって、該ベース部材２０の段位置及び列位置が識別され得るようになっている。
【００４５】
同様に、カセッタ１０も、外部視認可能な領域の少なくとも一部に、対応するベース部材２０の色彩４３'''と同色の色彩５３'''が施され、さらに、対応するベース部材２０のマーク４２'''と同一形状のマーク５２'''が施されている。
【００４６】
従って、取り外したカセッタ１０の色彩５３'''とマーク５２'''の形状とによって、該カセッタ１０がどのベース部材２０に装着されるべきかを、確実に知ることができる。
なお、本実施の形態においては、マーク４２'''，５２'''の形状によって、段位置又は列位置の他方を識別するように構成したが、これに代えて、マークの数量又はマークの色彩によって、段位置又は列位置の他方を識別するように構成することも可能である。
【００４７】
斯かる実施の形態においても、前記各実施の形態におけると同様に、取り外したカセッタ１０の装着箇所を確実に知ることができ、これにより、カセッタ１０の誤装着を有効に防止することができる。
なお、前記各実施の形態においては、支持架台１１０としてドラムを例に説明したが、当然ながら、ドラムに変えて、棚式の支持架台や引き出し式の支持架台等、種々の支持架台を用いることができる。
又、前記各実施の形態においては、カセッタが錠剤を収容し、収容された錠剤を所定個数毎に排出する場合を例に説明したが、本発明は斯かる形態に限定されるものではなく、例えば、カセッタが散薬又は水薬を収容し、該収容された散薬又は水薬を所定量毎に排出し得るように構成されてなる場合にも適用され得る。
【００４８】
【発明の効果】
本発明に係る薬剤収容容器によれば、ベース部材は、カセッタ装着状態において、個々のベース部材を視覚的に識別し得るベース部材識別情報を有し、一方、カセッタは、ベース部材に装着された状態で視覚的に識別し得るカセッタ識別情報であって、対応するベース部材の識別情報に応じたカセッタ識別情報を有するように構成したので、カセッタを対応するベース部材から取り外した後に再装着する際の、カセッタの誤装着を有効に防止することができる。
【００４９】
前記ベース部材及びカセッタが有する識別情報を、該ベース部材及びカセッタが取り付けられる前記支持架台の取付位置を表示する取付位置情報とすれば、取り外したカセッタのみに基づいて、該カセッタの装着箇所を容易に知ることができる。
【図面の簡単な説明】
【図１】図１は、本発明に係る薬剤収容容器が支持架台に上下方向多段に且つ水平方向に複数取り付けられた薬剤選択供給装置の斜視図である。
【図２】図２(a)及び(b)は、それぞれ、本発明の一実施の形態に係る薬剤収容容器が複数設置された支持架台の部分平面図及び部分側面図である。
【図３】図３(a)及び(b)は、それぞれ、図２に示す薬剤収容容器の平面図及び側面図である。
【図４】図４は、本発明に係る薬剤収容容器の実施の形態１の正面図である。
【図５】図５は、図４に示す薬剤収容容器のベース部材に、異なるカセッタを装着した状態の正面図である。
【図６】図６は、本発明に係る薬剤収容容器の実施の形態２の正面図である。
【図７】図７は、本発明に係る薬剤収容容器の実施の形態３の正面図である。
【図８】図８は、本発明に係る薬剤収容容器の実施の形態４の正面図である。
【符号の説明】
１                            薬剤収容容器
１０                          カセッタ
２０                          ベース部材
２１                          載置部
４０，４０'，４０''，４０'''  ベース部材識別情報
５０，５０'，５０''，５０'''  カセッタ識別情報
１１０                        支持架台
【図１】
0004492988.tif 000003
【図２】
0004492988.tif 000004
【図３】
0004492988.tif 000005
【図４】
0004492988.tif 000006
【図５】
0004492988.tif 000007
【図６】
0004492988.tif 000008
【図７】
0004492988.tif 000009
【図８】
0004492988.tif 000010